(57)【特許請求の範囲】
【請求項１】
ワイヤレス通信のための方法であって、
第１の無線機の局部発振器（ＬＯ）を発振器周波数にチューニングすることと、
第１の周波数で動作する前記第１の無線機において、第１の信号を受信することと、
前記第１の無線機において、ハンドオーバ前に第２の周波数で動作し前記ハンドオーバ後に第３の周波数で動作する第２の無線機から第２の信号を受信することと、ここにおいて、前記第３の周波数への前記ハンドオーバは、前記第３の周波数が前記発振器周波数の高調波から相対的に遠くあることに少なくとも部分的に基づく、
前記発振器周波数へのチューニングと前記受信された第２の信号とに少なくとも部分的に基づいて、前記受信された第１の信号の第１の属性における変化を決定することと、
前記発振器周波数へのチューニングと前記受信された第１の信号とに少なくとも部分的に基づいて、前記受信された第２の信号の第２の属性における変化を決定することと、ここにおいて、前記決定された第１の属性および前記第２の属性は、信号強度、または受信信号強度インジケータ（ＲＳＳＩ）、または信号対雑音比（ＳＮＲ）、または信号対干渉および雑音（ＳＩＮＲ）比、またはこれらの組合せのうちの少なくとも１つを備える、
前記第１の属性における前記決定された変化、前記第２の属性における前記決定された変化、および前記第３の周波数に少なくとも部分的に基づいて、前記第１の周波数からの前記発振器周波数に関するオフセット値を選択することと、
前記第１の無線機の前記ＬＯを前記選択されたオフセット値にチューニングすることと
を備える、方法。
【請求項２】
前記受信された第２の信号によって生じる干渉に少なくとも部分的に基づいて前記オフセット値を選択することをさらに備える、請求項１に記載の方法。
【請求項３】
前記受信された第２の信号の送信電力に少なくとも部分的に基づいて前記オフセット値を選択することをさらに備える、請求項１に記載の方法。
【請求項４】
前記受信された第１の信号および前記受信された第２の信号をベースバンドにダウンコンバートすることと、
前記受信された第１の信号のベース帯域幅と前記受信された第２の信号のベース帯域幅との間にオーバーラップがないように前記オフセット値を選択することと
をさらに備える、請求項１に記載の方法。
【請求項５】
前記受信された第１の信号および前記受信された第２の信号をベースバンドにダウンコンバートすることと、
前記受信された第１の信号のベース帯域幅と前記受信された第２の信号のベース帯域幅との間に部分的なオーバーラップがあるように前記オフセット値を選択することと
をさらに備える、請求項１に記載の方法。
【請求項６】
前記第１の無線機および前記第２の無線機は、単一のワイヤレス通信デバイスに含まれる、請求項１に記載の方法。
【請求項７】
第１の無線アクセス技術（ＲＡＴ）に従って前記第１の信号を受信することと、
第２のＲＡＴに従って前記第２の信号を受信することと
をさらに備える、請求項１に記載の方法。
【請求項８】
前記ハンドオーバ後に前記オフセット値をリセットすることをさらに備える、請求項６に記載の方法。
【請求項９】
前記第１のＲＡＴは、ワイヤレスローカルエリアネットワーク（ＷＬＡＮ）ベースであり、
前記第２のＲＡＴは、セルラワイドエリアネットワーク（ＷＡＮ）ベースである、
請求項７に記載の方法。
【請求項１０】
前記発振器周波数に対するゼロオフセットを含むように前記オフセット値を選択することをさらに備える、請求項８に記載の方法。
【請求項１１】
ワイヤレス通信のための装置であって、
第１の周波数で動作するように構成された第１の無線機と、前記第１の無線機は、発振器周波数にチューニングされた局部発振器（ＬＯ）を備える、
第１の信号を受信するように構成され、ハンドオーバ前に第２の周波数で動作し前記ハンドオーバ後に第３の周波数で動作する第２の無線機から第２の信号を受信するように構成された前記第１の無線機の受信機と、ここにおいて、前記第３の周波数への前記ハンドオーバは、前記第３の周波数が前記発振器周波数の高調波から相対的に遠くあることに少なくとも部分的に基づく、
前記発振器周波数へのチューニングと前記受信された第１の信号とに少なくとも部分的に基づいて、前記受信された第１の信号の第１の属性における変化および前記受信された第２の信号の第２の属性における変化を決定するように構成された通信マネージャと、ここにおいて、前記決定された第１の属性および前記第２の属性は、信号強度、または受信信号強度インジケータ（ＲＳＳＩ）、または信号対雑音比（ＳＮＲ）、または信号対干渉および雑音（ＳＩＮＲ）比、またはこれらの組合せのうちの少なくとも１つを備える、
前記第１の周波数からの前記発振器周波数に関するオフセット値に前記ＬＯをチューニングするように構成された発振器コントローラと、前記オフセット値は、前記決定された第１の属性における前記変化、前記決定された第２の属性における前記変化、および前記第３の周波数に少なくとも部分的に基づいて選択される、
を備える、装置。
【請求項１２】
前記発振器コントローラは、前記オフセット値を選択するように構成される、請求項１１に記載の装置。
【請求項１３】
前記発振器コントローラは、前記第２の信号によって生じる干渉に少なくとも部分的に基づいて前記オフセット値を選択する、請求項１２に記載の装置。
【請求項１４】
前記発振器コントローラは、前記第２の信号の送信電力に少なくとも部分的に基づいて前記オフセット値を選択するように構成される、請求項１２に記載の装置。
【請求項１５】
前記ＬＯは、前記第１の信号および前記第２の信号をベースバンドにダウンコンバートするように構成され、
前記発振器コントローラは、前記第１の信号のベース帯域幅と前記第２の信号のベース帯域幅との間にオーバーラップがないように前記オフセット値を選択するように構成される、請求項１２に記載の装置。
【請求項１６】
前記ＬＯは、前記第１の信号および前記第２の信号をベースバンドにダウンコンバートするように構成され、
前記発振器コントローラは、前記第１の信号のベース帯域幅と前記第２の信号のベース帯域幅との間に部分的なオーバーラップがあるように前記値を選択するように構成される、請求項１２に記載の装置。
【請求項１７】
ワイヤレス通信のための装置であって、
第１の無線機の局部発振器（ＬＯ）を発振器周波数にチューニングするための手段と、
第１の周波数で動作する前記第１の無線機において、第１の信号を受信するための手段と、
前記第１の無線機において、ハンドオーバ前に第２の周波数で動作し前記ハンドオーバ後に第３の周波数で動作する第２の無線機から第２の信号を受信するための手段と、ここにおいて、前記第３の周波数への前記ハンドオーバは、前記第３の周波数が前記発振器周波数の高調波から相対的に遠くあることに少なくとも部分的に基づく、
前記発振器周波数へのチューニングと前記受信された第２の信号とに少なくとも部分的に基づいて、前記受信された第１の信号の第１の属性における変化を決定するための手段と、
前記発振器周波数へのチューニングと前記受信された第１の信号とに少なくとも部分的に基づいて、前記受信された第２の信号の第２の属性における変化を決定するための手段と、ここにおいて、前記決定された第１の属性および前記第２の属性は、信号強度、または受信信号強度インジケータ（ＲＳＳＩ）、または信号対雑音比（ＳＮＲ）、または信号対干渉および雑音（ＳＩＮＲ）比、またはこれらの組合せのうちの少なくとも１つを備える、
前記第１の属性における前記決定された変化、前記第２の属性における前記決定された変化、および前記第３の周波数に少なくとも部分的に基づいて、前記第１の周波数からの前記発振器周波数に関するオフセット値を選択するための手段と、
前記第１の無線機の前記ＬＯを前記選択されたオフセット値にチューニングするための手段と
を備える、装置。
【請求項１８】
選択するための前記手段は、前記受信された第２の信号によって生じる干渉に少なくとも部分的に基づいて前記オフセット値を選択する、請求項１７に記載の装置。
【請求項１９】
ワイヤレス通信のためのコンピュータ実行可能なコードを記憶するコンピュータ可読記憶媒体であって、前記コードは、
第１の無線機の局部発振器（ＬＯ）を発振器周波数にチューニングすることと、
第１の周波数で動作する前記第１の無線機において、第１の信号を受信することと、
前記第１の無線機において、最初に第２の周波数で動作し、続いてハンドオーバ後に第３の周波数で動作する第２の無線機から第２の信号を受信することと、ここにおいて、前記第３の周波数への前記ハンドオーバは、前記第３の周波数が前記発振器周波数の高調波から相対的に遠くあることに少なくとも部分的に基づく、
前記発振器周波数へのチューニングと前記受信された第２の信号とに少なくとも部分的に基づいて、前記受信された第１の信号の第１の属性における変化を決定することと、
前記発振器周波数へのチューニングと前記受信された第１の信号とに少なくとも部分的に基づいて、前記受信された第２の信号の第２の属性における変化を決定することと、ここにおいて、前記決定された第１の属性および前記第２の属性は、信号強度、または受信信号強度インジケータ（ＲＳＳＩ）、または信号対雑音比（ＳＮＲ）、または信号対干渉および雑音（ＳＩＮＲ）比、またはこれらの組合せのうちの少なくとも１つを備える、
前記第１の属性における前記決定された変化、前記第２の属性における前記決定された変化、および前記第３の周波数に少なくとも部分的に基づいて、前記第１の周波数からの前記発振器周波数に関するオフセット値を選択することと、
前記ＬＯを前記オフセット値にチューニングすることと
を行うようにプロセッサによって実行可能である、コンピュータ可読記憶媒体。
【発明の詳細な説明】
【相互参照】
【０００１】
[0001]  本特許出願は、２０１４年９月１５日に出願された、「適応可能な無線周波数局部発振器のチューニング（Adaptive Radio Frequency Local Oscillator Tuning）」と題する、Ｗａｎｇ他による米国特許出願番号第１４／４８６，１１３号の優先権を主張し、この譲受人に譲渡される。
【技術分野】
【０００２】
[0002]  下記は、一般的には、ワイヤレス通信に関し、より具体的には、ワイヤレス通信のために無線周波数（ＲＦ）局部発振器（ＬＯ）をチューニングすることに関する。
【関連技術の説明】
【０００３】
[0003]  ワイヤレス通信システムは、音声、映像、パケットデータ、メッセージング、ブロードキャスト、等のような様々なタイプの通信コンテンツを提供するために広く展開されている。これらのシステムは、利用可能なシステムリソース（例えば、時間、周波数、および電力）を共有することによって複数のユーザとの通信をサポートできる多元接続システムであり得る。そのような多元接続システムの例は、符号分割多元接続（ＣＤＭＡ）システム、時分割多元接続（ＴＤＭＡ）システム、周波数分割多元接続（ＦＤＭＡ）システム、および、直交周波数分割多元接続（ＯＦＤＭＡ）システムを含む。
【０００４】
[0004]  一般的に、ワイヤレス多元接続通信システムは、それぞれが複数のモバイルデバイスに関する通信を同時にサポートする多数の基地局を含み得る。基地局は、ダウンストリームおよびアップストリームリンク上でモバイルデバイスと通信し得る。各基地局は、セルのカバレッジエリアと称され得るカバレッジ範囲を有する。
【０００５】
[0005]  ワイヤレス通信デバイスが特定の無線アクセス技術（ＲＡＴ）に従って無線周波数（ＲＦ）信号を受信する場合、デバイスの対応する無線機は、受信されたＲＦ信号の周波数を中間周波数および／またはベースバンド周波数にダウンコンバートするために局部発振器（ＬＯ）を採用し得る。デバイスはまた、異なるＲＡＴに従って異なる周波数において他の信号を受信し得る。いくつかのケースにおいて、他の信号のうちの１つは、ＬＯによってダウンコンバートされた場合、ＲＦ信号に干渉し得る。
【発明の概要】
【０００６】
[0006]  説明される特徴は、概して、ワイヤレス通信のための改善されたシステム、方法、および／または装置に関する。より具体的には、説明される特徴は、ワイヤレス通信のための無線周波数（ＲＦ）局部発振器を適応的または動的にチューニングするための技法に関する。一例において、無線機は、ＲＦ信号を受信し、無線機のＬＯは、別の信号からの干渉を緩和するために、それの受信（ＲＸ）中心周波数からのオフセットである周波数にチューニングされ得る。一例において、他の信号は、無線機のものとは異なる無線アクセス技術（ＲＡＴ）を使用して送信され得る。オフセットは、チューニングのＲＦ信号の属性に対する影響に基づいて決定され得る。さらに、オフセットは、他の信号によって生じる干渉に基づいて決定され得る。
【０００７】
[0007]  ワイヤレス通信のための方法が説明される。一構成によると、方法は、第１の周波数で動作する第１の無線機において、第１の信号を受信することを伴い得る。第１の無線機の局部発振器（ＬＯ）が第２の周波数にチューニングされ得る。チューニングすることによって生じる第１の信号の属性への影響が識別され得る。識別された影響に少なくとも部分的に基づいて、第２の周波数のためのオフセットが選択され得る。
【０００８】
[0008]  いくつかの例において、方法は、第１の無線機において、第３の周波数で動作する第２の無線機から第２の信号を受信することを伴い得る。そのような例において、方法は、第２の信号によって生じる干渉に少なくとも部分的に基づいてオフセットを選択することを伴い得る。代替的に、または追加的に、オフセットは、第２の信号の強度に少なくとも部分的に基づいて選択され得る。代替的に、または追加的に、オフセットは、第２の信号の送信電力に少なくとも部分的に基づいて選択され得る。
【０００９】
[0009]  いくつかの例において、方法は、第１の信号および第２の信号をベースバンドにダウンコンバートすることを伴い得る。そのような例において、第１の信号のベース帯域幅と第２の信号のベース帯域幅との間にオーバーラップがないように、オフセットが選択され得る。代替的に、第１の信号のベース帯域幅と第２の信号のベース帯域幅との間に部分的なオーバーラップがあるように、オフセットが選択され得る。
【００１０】
[0010]  いくつかの例において、第１の無線機および第２の無線機は、単一のワイヤレス通信デバイスに含まれる。そのような例において、方法は、第４の周波数への第２の信号のハンドオーバを行うことを伴い得る。さらに、オフセットは、第４の周波数に少なくとも部分的に基づいて選択され得る。いくつかの例において、ゼロとなるようにオフセットが選択され得る。
【００１１】
[0011]  いくつかの例において、第１の信号の属性は、第１の信号の信号対干渉および雑音比であり得る。代替的に、または追加的に、第１の信号の属性は、第１の信号の信号対雑音比であり得る。代替的に、または追加的に、第１の信号の属性は、第１の信号の強度であり得る。代替的に、または追加的に、第１の信号の属性は、第１の信号の受信信号強度インジケータ（ＲＳＳＩ）であり得る。
【００１２】
[0012]  いくつかの例において、第１の信号は、第１の無線アクセス技術（ＲＡＴ）に従って送信され、第２の信号は、第２のＲＡＴに従って送信され得る。そのような例において、第１のＲＡＴは、ワイヤレスローカルエリアネットワーク（ＷＬＡＮ）ベースであり、第２のＲＡＴは、セルラワイドエリアネットワーク（ＷＡＮ）ベースであり得る。
【００１３】
[0013]  ワイヤレス通信のための装置が説明される。一構成によると、装置は、第１の周波数において動作する第１の無線機と、第１の信号を受信するための第１の無線機の受信機と、第１の無線機の局部発振器（ＬＯ）と、チューニングすることによって生じる第１の信号の属性への影響に少なくとも部分的に基づいてＬＯを第２の周波数にチューニングするための発振器コントローラとを含み得る。装置は、これら、および／または上記でおよび本明細書で説明される方法の様々な動作を実行するように構成された他の要素を含み得る。
【００１４】
[0014]  ワイヤレス通信のための別の装置が説明される。一構成によると、装置は、第１の周波数で動作する第１の無線機において、第１の信号を受信するための手段と、第１の無線機の局部発振器（ＬＯ）を第２の周波数にチューニングするための手段と、チューニングすることによって生じる第１の信号の属性への影響を識別するための手段と、第２の周波数のためのオフセットを選択するための手段と、オフセットは、識別された影響に少なくとも部分的に基づく、を含み得る。装置は、これら、および／または上記でおよび本明細書で説明される方法の様々な動作を実行するように構成された他の要素を含み得る。
【００１５】
[0015]  非一時的なコンピュータ可読媒体が説明される。媒体は、ワイヤレス通信のためのコンピュータ実行可能なコードを記憶し得る。コードは、第１の周波数で動作する第１の無線機において、第１の信号を受信することと、第１の無線機の局部発振器（ＬＯ）を第２の周波数にチューニングすることと、チューニングすることによって生じる第１の信号の属性への影響を識別することと、第２の周波数のためのオフセットを選択することと、オフセットは、識別された影響に少なくとも部分的に基づく、を行うようにプロセッサによって実行可能であり得る。コードは、これら、および／または上記でおよび本明細書で説明される方法の他の様々な動作を行うようにプロセッサによって実行可能であり得る。
【００１６】
[0016]  説明される方法および装置の適用性のさらなる範囲は、以下の詳細な説明、特許請求の範囲、および図面から明らかとなるであろう。詳細な説明の範囲および精神内の様々な変更および修正が当業者に明らかとなるであろうことから、詳細な説明および具体例は、例示のみを目的として与えられる。
【図面の簡単な説明】
【００１７】
[0017]  本発明の本質および利点のさらなる理解は、以下の図を参照することによって実現され得る。添付の図面において、類似のコンポーネントまたは特徴は、同じ参照ラベルを有し得る。さらに、同じタイプの様々なコンポーネントは、参照ラベルに、類似のコンポーネントを区別するハイフンと第２のラベルとを後続させることによって、区別され得る。本明細書中で第１の参照ラベルのみが使用される場合、その説明は、第２の参照ラベルに関係なく同じ第１の参照ラベルを有する同様のコンポーネントのいずれか１つに適用可能である。
【図１】図１は、本開示の様々な態様に従って、ワイヤレス通信システムのブロック図を示す。
【図２Ａ】図２Ａは、本開示の様々な態様に従って、ワイヤレス通信デバイスの無線機によって受信され得る、異なるＲＡＴに従った２つのＲＦ信号の一例を例示するブロック図を示す。
【図２Ｂ】本開示の様々な態様に従って、ワイヤレス通信デバイスの無線機によってダウンコンバートされた図２Ａの２つのＲＦ信号の一例を例示するブロック図を示す。
【図３Ａ】本開示の様々な態様に従って、無線機のＬＯのチューニングを採用するワイヤレス通信デバイスの無線機によって受信され得る、異なるＲＡＴに従った２つのＲＦ信号の一例を例示するブロック図を示す。
【図３Ｂ】本開示の様々な態様に従って、ＬＯチューニングされた状態のワイヤレス通信デバイスの無線機によってダウンコンバートされた図３Ａの２つのＲＦ信号の一例を例示するブロック図を示す。
【図４Ａ】本開示の様々な態様に従って、ワイヤレス通信に使用され得る装置の一例のブロック図を示す。
【図４Ｂ】本開示の様々な態様に従って、ワイヤレス通信に使用され得る装置の別の例のブロック図を示す。
【図４Ｃ】本開示の様々な態様に従って、ワイヤレス通信に使用され得る装置のさらに別の例のブロック図を示す。
【図４Ｄ】本開示の様々な態様に従って、ワイヤレス通信に使用され得る装置のさらに別の例のブロック図を示す。
【図５】本開示の様々な態様に従って、ワイヤレス通信のためのユーザ機器（ＵＥ）のためのアーキテクチャの一例を例示するブロック図を示す。
【図６】本開示の様々な態様に従って、ワイヤレス通信のための方法の一例を例示するフローチャートである。
【図７】本開示の様々な態様に従って、ワイヤレス通信のための方法の別の例を例示するフローチャートである。
【詳細な説明】
【００１８】
[0030]  例えば、異種の無線アクセス技術（ＲＡＴ）で動作する信号のような、他の信号からの干渉を緩和するために、無線機の局部発振器（ＬＯ）のチューニングが採用され得る。例えば、デバイスの無線機は、ワイヤレスローカルエリアネットワーク（ＷＬＡＮ）のような、第１のＲＡＴに従って信号を受信し得る。ＷＬＡＮ信号を受信する場合、無線機はまた、ロングタームエボリューション（ＬＴＥ（登録商標））信号のような、別のＲＡＴに従って信号を受信し得る。ＬＯは、ＬＯのＲＸ中心周波数からのオフセットを選択することでＬＴＥ信号からの干渉を回避するようにチューニングされ得る。そのようなアプローチが干渉を緩和する一方で、ＬＯのチューニングは、受信されたＷＬＡＮ信号への望ましくない影響をもたらす可能性がある。よって、ＬＯのチューニングは、第１の信号の信号対雑音比（ＳＮＲ）、信号対干渉および雑音比（ＳＩＮＲ）、強度、および／または受信信号強度インジケータ（ＲＳＳＩ）のような、ＲＥ信号（例えば、ＷＬＡＮ信号）の属性へのチューニングによる影響を考慮して適応的または動的であり得る。
【００１９】
[0031]  本明細書で説明される技法は、ＣＤＭＡ、ＴＤＭＡ、ＦＤＭＡ、ＯＦＤＭＡ、ＳＣ−ＦＤＭＡ、および他のシステムのような様々なワイヤレス通信システムに使用され得る。「システム」および「ネットワーク」という用語は、しばしば交換可能に使用される。ＣＤＭＡシステムは、ＣＤＭＡ２０００、ユニバーサル地上無線アクセス（ＵＴＲＡ）、等のような無線技術を実現し得る。ＣＤＭＡ２０００は、ＩＳ−２０００、ＩＳ−９５、およびＩＳ−８５６規格をカバーする。ＩＳ−２０００リリース０およびＡは、一般的に、ＣＤＭＡ２０００  １Ｘ、１Ｘ、等と称される。ＩＳ−８５６（ＴＩＡ−８５６）は、一般的に、ＣＤＭＡ２０００  １ｘＥＶ−ＤＯ、高速パケットデータ（ＨＲＰＤ）、等と称される。ＵＴＲＡは、広帯域ＣＤＭＡ（ＷＣＤＭＡ（登録商標））およびＣＤＭＡの他の変形を含む。ＴＤＭＡシステムは、移動体通信のためのグローバルシステム（ＧＳＭ（登録商標））のような無線技術を実現し得る。ＯＦＤＭＡシステムは、ウルトラモバイルブロードバンド（ＵＭＢ）、発展型ＵＴＲＡ（Ｅ−ＵＴＲＡ）、ＩＥＥＥ８０２．１１（Ｗｉ−Ｆｉ）、ＩＥＥＥ８０２．１６（ＷｉＭＡＸ）、ＩＥＥＥ８０２．２０、フラッシュＯＦＤＭ、等、のような無線技術を実現し得る。ＵＴＲＡおよびＥ−ＵＴＲＡは、ユニバーサルモバイル電気通信システム（ＵＭＴＳ）の一部である。３ＧＰＰ（登録商標）ロングタームエボリューション（ＬＴＥ）およびＬＴＥアドバンスド（ＬＴＥ−Ａ）は、Ｅ−ＵＴＲＡを使用するＵＭＴＳの最新リリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ）と呼ばれる団体からの文書に説明されている。ＣＤＭＡ２０００およびＵＭＢは、「第３世代パートナーシッププロジェクト２」（３ＧＰＰ２）と呼ばれる団体からの文書に説明されている。本明細書で説明される技法は、上述されたシステムおよび無線技術のみならず、他のシステムおよび無線技術に使用され得る。しかしながら、下記の説明は、実例を目的としてＬＴＥシステムを説明しており、ＬＴＥ用語が下記の説明の大部分において使用されているが、本技法はＬＴＥアプリケーションの範囲を超えて適用可能である。
【００２０】
[0032]  以下の説明は例を提供するものであり、特許請求の範囲において記載される範囲、適用性、または構成を限定するものではない。変更が、本開示の範囲から逸脱することなく、説明される要素の機能および配置において行われ得る。様々な実施形態は、様々な手順またはコンポーネントを適宜省略、置換、または追加し得る。例えば、説明される方法は、説明されるものとは異なる順序で行われ、様々なステップが追加、省略、または組み合わせられ得る。また、ある特定の実施形態に関して説明される特徴は、他の実施形態で組み合され得る。
【００２１】
[0033]  最初に図１を参照すると、本開示の様々な態様に従って、ワイヤレス通信システム１００のブロック図が示される。ワイヤレス通信システム１００は、複数のアクセスポイント（例えば、基地局、ｅＮＢ、またはＷＬＡＮアクセスポイント）１０５、多数のユーザ機器（ＵＥ）１１５、およびコアネットワーク１３０を含み得る。アクセスポイント１０５のいくつかは、基地局コントローラ（図示せず）の制御下でＵＥ１１５と通信し、それは、様々な実現において、コアネットワーク１３０またはある特定のアクセスポイント１０５（例えば、基地局またはｅＮＢ）の一部であり得る。アクセスポイント１０５のいくつかは、バックホール１３２を通じて、コアネットワーク１３０と制御情報および／またはユーザデータを通信し得る。いくつかの実現において、アクセスポイント１０５のいくつかは、直接的または間接的にのいずれかで、ワイヤードまたはワイヤレス通信リンクであり得るバックホールリンク１３４上で互いに通信し得る。ワイヤレス通信システム１００は、複数のキャリア（異なる周波数の波形信号）上の動作をサポートし得る。マルチキャリア送信機は、変調された信号を複数のキャリア上で同時に送信できる。例えば、各通信リンク１２５は、様々な無線技術に従って変調されたマルチキャリア信号であり得る。各変調された信号は、異なるキャリア上で送られ、制御情報（例えば、基準信号、制御チャネル、等）、オーバヘッド情報、スケジューリング情報、データ、等を搬送し得る。
【００２２】
[0034]  アクセスポイント１０５は、アクセスポイントアンテナを介してＵＥ１１５とワイヤレスで通信し得る。アクセスポイント１０５の各々は、それぞれのカバレッジエリア１１０のための通信カバレッジを提供し得る。いくつかの実現において、アクセスポイント１０５は、基地局、ベーストランシーバ局（ＢＴＳ）、無線基地局、無線トランシーバ、基本サービスセット（ＢＳＳ）、拡張サービスセット（ＥＳＳ）、ノードＢ、発展型ノードＢ（ｅＮＢ）、ホームノードＢ、ホームｅノードＢ、ＷＬＡＮアクセスポイント、Ｗｉ−Ｆｉノードまたは何らかの他の適切な専門用語で称され得る。アクセスポイント１０５のためのカバレッジエリア１１０は、それぞれのカバレッジエリア１１０の一部のみを構成するセクタ（図示せず）に分けられ得る。ワイヤレス通信システム１００は、異なるタイプのアクセスポイント１０５（例えば、マクロ、マイクロ、および／またはピコ基地局）を含み得る。アクセスポイント１０５はまた、セルラおよび／またはＷＬＡＮ無線アクセス技術のような、異なる無線技術を利用し得る。アクセスポイント１０５は、同じまたは異なるアクセスネットワークまたはオペレータ展開に関連付けられ得る。同じまたは異なるタイプのアクセスポイント１０５のカバレッジエリアを含み、同じまたは異なる無線技術を利用し、および／または同じまたは異なるアクセスネットワークに属する、異なる基地局１０５のカバレッジエリア１１０は、オーバーラップし得る。カバレッジエリア１１０は、図１に例示されるようなマクロセルＭおよび小さなセルＳ（例えば、フェムトセル、ピコセル、等）のような、セルを定義するものと見なされ得る。簡単にするために、小さなセルＳはそれぞれのカバレッジエリア内の単一のＵＥ１１５のみで示されるが、任意の数のＵＥ１１５が小さなセルＳのカバレッジエリア内にあり得ることを理解されたい。
【００２３】
[0035]  いくつかの実現において、ワイヤレス通信システム１００は、ＬＴＥ／ＬＴＥ−Ａ通信システム（またはネットワーク）を含み、ＬＴＥ／ＬＴＥ−Ａ通信システムは、無認可無線周波数スペクトルバンドを使用して通信するための展開シナリオまたは動作のモードをサポートし得る。他の実現において、ワイヤレス通信システム１００は、ＬＴＥ／ＬＴＥ−Ａとは異なるアクセス技術および認可無線周波数スペクトルバンドを使用してワイヤレス通信をサポートし得る。ＬＴＥ／ＬＴＥ−Ａ通信システムにおいて、発展型ノードＢおよびｅＮＢという用語は、概してアクセスポイント１０５を説明するために使用され得る。ワイヤレス通信システム１００は、異なるタイプのｅＮＢが様々な地理的領域にカバレッジを提供する異種ＬＴＥ／ＬＴＥ−Ａネットワークであり得る。例えば、各ｅＮＢ１０５は、マクロセル、ピコセル、フェムトセル、および／または他のタイプのセルのための通信カバレッジを提供し得る。ピコセル、フェムトセルのような小さなセル、および／または他のタイプのセルは、低電力ノードすなわちＬＰＮを含み得る。マクロセルは、一般的に、相対的に広い地理的エリア（例えば、半径数キロメートル）をカバーし、ネットワークプロバイダにサービス加入しているＵＥによる制限のないアクセスを可能にし得る。ピコセルは、一般的に、相対的により狭い地理的エリアをカバーし、ネットワークプロバイダにサービス加入しているＵＥによる制限のないアクセスを可能にし得る。フェムトセルもまた、一般的に、相対的に狭い地理的エリア（例えば、家）をカバーし、制限のないアクセスに加え、フェムトセルとの関連付けを有するＵＥ（例えば、クローズドサブスクライバグループ（ＣＳＧ）の中のＵＥ、家の中のユーザのためのＵＥ、等）による制限されたアクセスをも提供し得る。マクロセルのためのｅＮＢは、マクロｅＮＢと称され得る。ピコセルのためのｅＮＢは、ピコｅＮＢと称され得る。また、フェムトセルのためのｅＮＢは、フェムトｅＮＢまたはホームｅＮＢと称され得る。ｅＮＢは、１つまたは複数の（例えば、２つ、３つ、４つ、等の）セルをサポートし得る。
【００２４】
[0036]  コアネットワーク１３０は、バックホール１３２（例えば、Ｓ１アプリケーションプロトコル、等）を介してｅＮＢ１０５と通信し得る。ｅＮＢ１０５はまた、バックホールリンク１３４（例えば、Ｘ２アプリケーションプロトコル、等）を介しておよび／またはバックホール１３２を介して（例えば、コアネットワーク１３０を通じて）、直接的または間接的に互いに通信し得る。ワイヤレス通信システム１００は、同期または非同期動作をサポートし得る。同期動作の場合、ｅＮＢは、同様のフレームおよび／またはゲーティングタイミングを有し、異なるｅＮＢからの送信は、ほぼ時間的に揃えられ得る。非同期動作の場合、ｅＮＢは、異なるフレームおよび／またはゲーティングタイミングを有し、異なるｅＮＢからの送信は、時間的に揃えられない可能性がある。本明細書で説明される技法は、同期または非同期動作のいずれかに使用され得る。
【００２５】
[0037]  ＵＥ１１５は、ワイヤレス通信システム１００全体にわたって分布され、各ＵＥ１１５は、固定式または移動式であり得る。ＵＥ１１５はまた、当業者によって、モバイルデバイス、モバイル局、加入者局、モバイルユニット、加入者ユニット、ワイヤレスユニット、遠隔ユニット、ワイヤレスデバイス、ワイヤレス通信デバイス、遠隔デバイス、モバイル加入者局、アクセス端末、モバイル端末、ワイヤレス端末、遠隔端末、ハンドセット、ユーザエージェント、モバイルクライアント、クライアント、または何らかの他の適切な専門用語で称され得る。ＵＥ１１５は、セルラ電話、携帯情報端末（ＰＤＡ）、ワイヤレスモデム、ワイヤレス通信デバイス、ハンドヘルドデバイス、タブレットコンピュータ、ラップトップコンピュータ、コードレス電話、腕時計またはメガネのようなウェアラブルアイテム、ワイヤレスローカルループ（ＷＬＬ）局、等であり得る。ＵＥ１１５は、マクロｅＮＢ、ピコｅＮＢ、フェムトｅＮＢ、リレー、等と通信可能であり得る。ＵＥ１１５はまた、ＷＬＡＮアクセスネットワーク、またはセルラあるいは他のＷＷＡＮアクセスネットワークのような、異なるアクセスネットワーク上で通信することが可能であり得る。
【００２６】
[0038]  ワイヤレス通信システム１００に示される通信リンク１２５は、アップリンク（ＵＬ）送信（例えば、ＵＥ１１５からｅＮＢ１０５へ）を搬送するためのアップリンクおよび／またはダウンリンク（ＤＬ）送信（例えば、ｅＮＢ１０５からＵＥ１１５へ）を搬送するためのダウンリンクを含み得る。ＵＬ送信は、逆方向リンク送信とも呼ばれ、一方でＤＬ送信は、順方向リンク送信とも呼ばれ得る。
【００２７】
[0039]  ＵＥ１１５は様々な無線技術を介して通信し得るので、そのような通信リンク１２５上で搬送された非協調信号（non-coordinated signals）は、望ましくない干渉を引き起こす可能性がある。例えば、第１のＵＥ１１５−ａは、第１の基地局（例えば、アクセスポイント）１０５−ａからＷＬＡＮ通信を受信し、同時に第２の基地局１０５−ｂからＬＴＥ通信を受信し得る。第１のＵＥ１１５−ａは、ＷＬＡＮおよびＬＴＥのための第１および第２の無線機をそれぞれ含み得る。しかしながら、ＬＴＥ通信の信号は、第１の無線機によっても受信され、それは、ＷＬＡＮ通信の信号への干渉を引き起こす可能性がある。同様に、（例えば、第１のＵＥ１１５−ａの近くの）第２のＵＥ１１５−ｂによる通信（例えば、ＬＴＥ）は、第１のＵＥ１１５−ａの第１の無線機によって受信され、ＷＬＡＮ通信への干渉を引き起こす可能性がある。
【００２８】
[0040]  本明細書で説明されるように、第１のＵＥ１１５−ａの第１の無線機の局部発振器（ＬＯ）は、どちらの場合でもＷＬＡＮ通信への干渉を緩和するようにチューニングされ得る。よって、ＬＯのチューニングは、複数の無線機の共存、特に、複数の無線機が同じＵＥ（例えば、ＵＥ１１５−ａ）にある場合に採用され得る。しかしながら、そのようなチューニングは、干渉を低減することに加えてＷＬＡＮ信号に影響を与える可能性がある。よって、チューニングは、干渉を緩和することに加えてＷＬＡＮ信号への影響を考慮し得る。
【００２９】
[0041]  図２Ａは、本開示の様々な態様に従って、ワイヤレス通信デバイスの無線機によって受信され得る、異なるＲＡＴに従った２つのＲＦ信号の一例２００を例示するブロック図を示す。これらＲＦ信号は、図１に関して記載された通信リンク１２５を介してＵＥ１１５のうちの１つによって受信された信号の例であり得る。例２００において、第１のＲＡＴ（例えば、ＷＬＡＮ）の第１の信号２０５は、中心周波数２１５を備えた帯域幅２１０を有し得る。無線機のＬＯ（図示せず）は、（中心周波数２１５に等しいまたは少なくとも帯域幅２１０内の）対応するＲＸ中心周波数を有し得る。第２のＲＡＴ（例えば、ＬＴＥ）の第２の信号２２０は、中心周波数２３０を備えた帯域幅２２５を有し得る。（この例では第１の信号２０５の中心周波数２１５に等しい）ＬＯのＲＸ中心周波数の第２の高調波周波数２３５は、第２の信号２２０の帯域幅２２５の範囲内にある。
【００３０】
[0042]  図２Ｂは、本開示の様々な態様に従って、ワイヤレス通信デバイスの無線機のＬＯ（図示せず）によってダウンコンバートされたときの図２の第１および第２の信号２０５、２２０の一例２５０を例示する。示されるように、ＬＯによるダウンコンバージョンは、中間周波数またはベースバンド（ＢＢ）に対するものであり得る。ベースバンドにおける第１の信号２０５は、中心周波数２２５（例えば、ＤＣ、ベースバンド信号におけるゼロ周波数に対応するサブキャリア）を有し、ベースバンドにおける第２の信号２２０は、中心周波数２６０を有する。示されるように、ベースバンドにおける第２の信号２２０は、最終的にベースバンドにおける第１の信号２０５の上となる（ends up on top of）。よって、第２の信号２２０は、第１の信号２０５への著しい干渉を引き起こす可能性がある（例えば、第１信号２０５を非感知すること（desensing）を引き起こす可能性がある）。
【００３１】
[0043]  図３Ａは、本開示の様々な態様に従って、無線機のＬＯのチューニングを採用するワイヤレス通信デバイスの無線機によって受信され得る、異なるＲＡＴに従った２つのＲＦ信号の一例３００を例示するブロック図を示す。先と同様に、これらＲＦ信号は、図１に関して記載された通信リンク１２５を介してＵＥ１１５のうちの１つによって受信された信号の例であり得る。例３００において、第１のＲＡＴ（例えば、ＷＬＡＮ）の第１の信号３０５は、中心周波数３１５を備えた帯域幅３１０を有し得る。無線機のＬＯ（図示せず）は、（中心周波数３１５に等しいまたは少なくとも帯域幅３１０内の）対応するＲＸ中心周波数を有し得る。第２のＲＡＴ（例えば、ＬＴＥ）の第２の信号３２０は、中心周波数３３０を備えた帯域幅３２５を有し得る。
【００３２】
[0044]  （例えば、第１の信号３０５の中心周波数３１５に等しい）ＬＯのＲＸ中心周波数の高調波周波数（図示せず）は、第２の信号３２０の帯域幅３２５内にある。一例において、無線機のＬＯは、第２の信号３２０からの干渉を回避するためにチューニングされ得る。例えば、ＬＯは、オフセット周波数３３５（ＲＸ中心周波数に関するオフセット）にチューニングされ、それにより、オフセット周波数３３５の高調波周波数３４０が第２の信号３２０の帯域幅３２５の範囲内にはない。
【００３３】
[0045]  図３Ｂは、本開示の様々な態様に従って、ワイヤレス通信デバイスの無線機のＬＯ（図示せず）によってダウンコンバートされたときの図３Ａの第１および第２の信号３０５、３２０の一例３５０を例示する。示されるように、ＬＯによるダウンコンバージョンは、中間周波数またはベースバンド（ＢＢ）に対するものであり得る。ＬＯがオフセット周波数３３５（図３Ａ）にチューニングされた場合、ベースバンドにおける第１の信号３０５は、中心周波数３６０を有し、ベースバンドにおける第２の信号３２０は、中心周波数３６５を有する。示されるように、ベースバンドにおける第２の信号３２０は、ベースバンドにおける第１の信号３０５とのオーバーラップを有さない。よって、第２の信号３２０は、ＬＯがこの方法でチューニングされる場合、第１の信号３０５への顕著な干渉を引き起こさない可能性がある。必要にまたは所望に応じて、ベースバンドにおける第１の信号３０５の周波数は、（局／アクセスポイントのドリフト（drift）に対処するために既に存在し得る）周波数回転装置等のベースバンド処理によってＤＣ３３５にさらに移動され得る。
【００３４】
[0046]  本明細書で説明されるように、ＬＯをチューニングすることによって潜在的な干渉を緩和すること（例えば、チューニングのない図２Ｂとチューニングを用いた図３を比較すること）は、複数の無線機の共存にとって可能なアプローチである。しかしながら、ＬＯチューニングの所望の信号（例えば、図３Ａおよび３Ｂの例３００および３５０におけるＷＬＡＮ信号）に対する影響は、望ましくないものである可能性がある。例えば、ＬＯのＲＸ中心周波数からの任意の大きいオフセットである周波数にＬＯをチューニングすることは、（例えば、ベースバンドフィルタリングにより）所望の信号のＳＩＮＲを減少させる可能性がある。よって、ＬＯチューニングの所望の信号に対する影響を考慮することは、干渉緩和と信号品質との間の均衡化（balancing）を可能にし得る。
【００３５】
[0047]  本明細書で説明される様々な態様に従って、ＬＯのチューニングによって生じる所望の信号の属性への影響（例えば、上げることまたは下げること）が識別され得る。信号の強度、信号の受信信号強度インジケータ（ＲＳＳＩ）、信号の信号対雑音比（ＳＮＲ）および／または信号の信号対干渉および雑音比（ＳＩＮＲ）のような、信号の様々な属性は、容易に確認（ascertained）され得る。例えば、所望の信号の品質を反映する、任意の適切な属性が使用されることを理解されたい。
【００３６】
[0048]  所望の信号への識別された影響（例えば、値または大きさ）は、ＬＯをオフセット周波数にチューニングするためのオフセットを選択するために使用され得る。よって、所望の信号の品質は、ＬＯチューニングによる干渉を低減しながら、ある程度に維持され得る。一般に、ＬＯをチューニングする理由（例えば、干渉緩和）がどうであれ、所望の信号への悪影響が制御され得るように、所望の信号の品質が考慮され得る。オフセットは、動的に選択され得る、例えば、ＬＯをチューニングすることの所望の信号への影響がより大きい場合、オフセットはより少なくなり、ＬＯをチューニングすることの所望の信号への影響がより少ない場合、オフセットはより多くなる。
【００３７】
[0049]  ＬＯをオフセット周波数にチューニングするためにオフセットを選択することはまた、無線機によって受信される第２の信号の属性（またはそれによる影響）に基づき得る。干渉緩和のケースにおいて、第２の信号によって引き起こされる潜在的な干渉は、オフセットを選択するために考慮され得る。代替的に、または追加的に、第２の信号の強度および／または第２の信号の送信（ＴＸ）電力は、オフセットを選択するために考慮され得る。
【００３８】
[0050]  いくつかの実現において、所望の信号の帯域幅とＬＯによるダウンコンバージョン後の第２の（潜在的に干渉している）信号の帯域幅との間にオーバーラップがないように、オフセットが選択され得る。例えば、所望の信号のベース帯域幅と第２の信号のベース帯域幅との間にオーバーラップがないように、オフセットが選択され得る。
【００３９】
[0051]  他の実現において、所望の信号の帯域幅とＬＯによるダウンコンバージョン後の第２の信号の帯域幅との間に部分的なオーバーラップがあるように、オフセットが選択され得る。例えば、所望の信号のベース帯域幅と第２の信号のベース帯域幅との間に部分的なオーバーラップがあるように、オフセットが選択され得る。
【００４０】
[0052]  また、他の実現において、例えば、第２の信号の強度またはＴＸ電力が（例えば、所望の信号のＲＳＳＩと比べて）十分に低い場合、ゼロとなるようにオフセットが選択され得る。第２の信号が著しい干渉（例えば、所望の信号の非感知）を引き起こすほど十分強力ではない場合、ゼロオフセットは、ＬＯのチューニングの所望の信号に対する影響を最小限にし得る（例えば、影響なし）。
【００４１】
[0053]  本明細書で説明されるように、ＬＯのチューニングは、様々な要因に基づいてオフセットを設定することによって適応的または動的であり得る。さらに、ＬＯのチューニングは、変動する信号強度のように、変更条件に基づいてオフセットの設定を変更することによって適応的／動的であり得る。
【００４２】
[0054]  いくつかの実現において、ワイヤレス通信デバイスは、別のＲＡＴ（例えば、ＬＴＥ）に従って動作し、第２の信号を受信する第２の無線機を含み得る。そのようなケースにおいて、第２の信号は、第２の信号が異なる周波数において受信されるようにハンドオフの手順が行われ得る。例えば、異なる周波数は、ＬＯのＲＸ中心周波数の高調波から相対的に遠くあり得る。よって、いくつかのケースにおいて、オフセットは、ハンドオーバ手順が発生すると、ゼロにリセットされ得る。
【００４３】
[0055]  図４Ａを参照すると、本開示の様々な態様に従って、ワイヤレス通信に使用され得る装置１１５−ｃのブロック図４００−ａが示される。いくつかの実現において、装置１１５−ｃは、図１に関連して説明されたＵＥ１１５および／または図２Ａ、２Ｂ、３Ａおよび／または３Ｂに関連して説明されたワイヤレス通信デバイスの様々な態様の一例であり得る。装置１１５−ｃはまた、プロセッサであり得る。装置１１５−ｃは、受信機４０５、通信マネージャ４１０、および／または送信機４１５を含み得る。これらのコンポーネントの各々は、互いと通信状態にあり得る。
【００４４】
[0056]  装置１１５−ｃのコンポーネント（および本明細書で説明される他の関連装置のそれら）は、ハードウェアの適応可能な機能のいくつかまたは全てを行うように適合された特定用途向け集積回路（ＡＳＩＣ）を使用して、個々に、または一括して、実現され得る。代替的に、機能は、集積回路上で、他の処理ユニット（またはコア）によって行われ得る。他の実施形態において、他のタイプの集積回路（例えば、構造化（structured）／プラットフォームＡＳＩＣ、フィールドプログラマブルゲートアレイ（ＦＰＧＡ）、および他の半カスタムＩＣ）が使用され、これらは、当該技術分野において周知の任意のやり方でプログラムされ得る。各ユニットの機能はまた、全体的にまたは部分的に、メモリで具現化された命令により実現され、汎用または特定用途向けのプロセッサによって実行されるようにフォーマットされ得る。
【００４５】
[0057]  いくつかの実現において、受信機４０５は、特定の無線アクセス技術（ＲＡＴ）に従って送信を受信するように動作可能な無線周波数（ＲＦ）受信機のような、ＲＦ受信機であり得る、またはそれを含み得る。いくつかのケースにおいて、本明細書で説明される例等の場合、ＲＡＴがＷＬＡＮであり得る。受信機４０５は、図１に関連して説明されたワイヤレス通信システム１００の通信リンクのような、ワイヤレス通信システムの通信リンク（複数を含む）（例えば、物理チャネル）上で様々なタイプのデータおよび／または制御信号（例えば、送信）を受信するために使用され得る。  
[0058]  いくつかの実現において、送信機４１５は、特定のＲＡＴ、例えば、ＷＬＡＮ、に従って送信を受信するように動作可能なＲＦ送信機のような、ＲＦ送信機であり得る、またはそれを含み得る。送信機４１５は、図１に関連して説明されたワイヤレス通信システム１００の通信リンクのような、ワイヤレス通信システムの通信リンク（複数を含む）（例えば、物理チャネル）上で様々なタイプのデータおよび／または制御信号（例えば、送信）を送信するために使用され得る。
【００４６】
[0059]  いくつかの実現において、通信マネージャ４１０は、特定のＲＡＴ、例えば、ＷＬＡＮ、に従って、ワイヤレス通信を管理するために使用され得る。例えば、通信マネージャ４１０は、送信機４１５および／または受信機４０５を管理するために使用され得る。この開示の態様によると、通信マネージャ４１０は、受信機４０５の局部発振器（ＬＯ）がチューニングされるといった方法で、受信機を管理あるいは制御するために使用され得る。
【００４７】
[0060]  本明細書で説明されるように、受信機４０５は、ＲＡＴ、例えば、ＷＬＡＮ、に従って第１の信号を受信し得る。第１の信号は、受信機４０５のＬＯのチューニングの影響を受ける可能性がある様々な確認可能な（測定可能な）属性を有し得る。通信マネージャ４１０は、それのＲＸ中心周波数からのＬＯをチューニングするためのオフセットを選択あるいは決定する場合、ＬＯをチューニングすることの属性（複数を含む）に対する影響を考慮し得る。
【００４８】
[0061]  例えば、受信機４０５がＬＯによるダウンコンバージョン後に第１の信号（例えば、ＷＬＡＮ）に干渉し得る異なる周波数において別の信号（例えば、ＬＴＥ）を受信する場合、通信マネージャ４１０は、第２の信号からの潜在的な干渉を緩和しようとして受信機４０５のＬＯをチューニングし得る。しかしながら、通信マネージャ４１０は、ＬＯをチューニングすることの第１の信号の属性（複数を含む）に対する影響（複数を含む）を考慮するので、第１の信号の品質および干渉緩和の間で適切な均衡が取られ得る。
【００４９】
[0062]  図４Ｂは、本開示の様々な態様に従って、ワイヤレス通信に使用され得る装置１１５−ｄのブロック図４００−ｂを示す。いくつかの実現において、装置１１５−ｄは、図１に関連して説明されたＵＥ１１５および／または図４Ａに関連して上述された装置の様々な態様の一例であり得る。装置１１５−ｄはまた、プロセッサであり得る。装置１１５−ｄは、受信機４０５−ａ、通信マネージャ４１０−ａ、送信機４１５−ａ、局部発振器（ＬＯ）４２０および／または発振器コントローラ４２５を含み得る。これらのコンポーネントの各々は、互いと通信状態にあり得る。
【００５０】
[0063]  いくつかの実現において、受信機４０５−ａおよび送信機４１５−ａは、それぞれ、図４Ａに関連して上述されたように、受信機４０５および送信機４１５と同様に動作し得る。本明細書で説明されるように、受信機４０５−ａは、ＲＡＴ、例えば、ＷＬＡＮ、に従って第１の信号を受信し得る。第１の信号は、ＬＯ４２０のチューニングの影響を受ける可能性がある様々な確認可能な（測定可能な）属性を有し得る。
【００５１】
[0064]  いくつかの実現において、通信マネージャ４１０−ａは、図４Ａに関連して上述された通信マネージャ４１０と同様の動作を行い得る。さらに通信マネージャ４１０−ａは、本明細書で説明されるようにＬＯ４２０をチューニングするために発振器コントローラ４２５と協働し得る。いくつかの実現において、ＬＯ４２０は、サブコンポーネントまたは受信機４０５−ａのサブコンポーネントであり得る。さらに、いくつかの実現において、発振器コントローラ４２５は、通信マネージャ４１０−ａのサブコンポーネントまたは受信機４０５−ａのサブコンポーネントであり得る。
【００５２】
[0065]  通信マネージャ４１０−ａは、受信機４０５−ａから第１の信号を受信し、ＬＯ４２０をチューニングすることの第１の信号の属性（複数を含む）に対する影響（複数を含む）を確認し得る。影響（複数を含む）に基づいて、通信マネージャ４１０−ａは、ＬＯ４２０をチューニングするためのＬＯ４２０のＲＸ中心周波数からのオフセットを選択／決定し、発振器コントローラ４２５に、選択された／決定されたオフセットに従ってＬＯ４２０をチューニングするよう命令し得る。
【００５３】
[0066]  代替的に、発振器コントローラ４２５は、受信機４０５−ａから直接あるいは（示されるように）通信マネージャ４１０−ａを介して、第１の信号を受信し、ＬＯ４２０をチューニングすることの第１の信号の属性（複数を含む）に対する影響（複数を含む）を確認し得る。影響（複数を含む）に基づいて、発振器コントローラ４２５は、ＬＯ４２０のＲＸ中心周波数からのオフセットを選択／決定し、ＬＯ４２０に、選択された／決定されたオフセットに従ってＬＯ４２０をチューニングさせ得る。
【００５４】
[0067]  図４Ｃは、本開示の様々な態様に従って、ワイヤレス通信に使用され得る装置１１５−ｅのブロック図４００−ｃを示す。いくつかの実現において、装置１１５−ｅは、図１に関連して説明されたＵＥ１１５および／または、図４Ａおよび／または４Ｂに関連して上述された装置の様々な態様の一例であり得る。装置１１５−ｅはまた、プロセッサであり得る。装置１１５−ｅは、受信機４０５−ｂ、通信マネージャ４１０−ｂ、送信機４１５−ｂ、局部発振器（ＬＯ）４２０−ａ、発振器コントローラ４２５−ａおよび／または信号属性検出器４３０を含み得る。これらのコンポーネントの各々は、互いと通信状態にあり得る。
【００５５】
[0068]  いくつかの実現において、受信機４０５−ｂおよび送信機４１５−ｂは、それぞれ、図４Ａに関連して上述されたように、受信機４０５および送信機４１５と同様に動作し得る。本明細書で説明されるように、受信機４０５−ｂは、ＲＡＴ、例えば、ＷＬＡＮ、に従って第１の信号を受信し得る。第１の信号は、ＬＯ４２０−ａのチューニングの影響を受ける可能性がある様々な確認可能な（測定可能な）属性を有し得る。
【００５６】
[0069]  いくつかの実現において、通信マネージャ４１０−ｂは、図４Ａおよび／または４Ｂに関連して上述された通信マネージャ４１０、４１０−ａと同様の動作を行い得る。さらに、通信マネージャ４１０−ｂは、本明細書で説明されるように、ＬＯ４２０−ａをチューニングするための発振器コントローラ４２５−ａの属性（複数を含む）への影響を決定するために、信号属性検出器４３０と協働し得る。信号属性検出器４３０は、受信機４０５−ｂから直接（または通信マネージャ４１０−ｂを介して）第１の信号を受信し、ＬＯ４２０−ａをチューニングすることの第１の信号の属性（複数を含む）に対する影響（複数を含む）を確認し得る。影響（複数を含む）に基づいて、発振器コントローラ４２５−ａ（または通信マネージャ４１０−ｂ）は、ＬＯ４２０−ａをチューニングするためにＬＯ４２０−ａのＲＸ中心周波数からのオフセットを選択／決定し得る。局部発振器４２５−ａは、ＬＯ４２０−ａに、選択された／決定されたオフセットに従って、チューニングさせ得る。
【００５７】
[0070]  信号属性検出器４３０は、単独の場合でも通信マネージャ４１０−ｂおよび／または発振器コントローラ４２５−ａを組み合わせた場合でも、本明細書で説明されるように、様々な信号属性およびＬＯチューニングのそれらに対する影響（複数を含む）を検出、測定、あるいは決定し得る。信号属性検出器４３０は、第１の（所望の）信号に加えて、他の信号の信号属性（および／またはＬＯチューニングのそれらに対する影響（複数を含む））を決定し得る。よって、信号属性検出器４３０はまた、本明細書で説明されるように、ＬＯチューニングに対する干渉信号（例えば、オフセットの選択／決定）を評価（assess）し得る。
【００５８】
[0071]  図４Ｄは、本開示の様々な態様に従って、ワイヤレス通信に使用され得る装置１１５−ｆのブロック図４００−ｄを示す。いくつかの実現において、装置１１５−ｆは、図１に関連して説明されたＵＥ１１５および／または、図４Ａ、４Ｂおよび／または４Ｃに関連して上述された装置の様々な態様の一例であり得る。装置１１５−ｆはまた、プロセッサであり得る。装置１１５−ｆは、第１の受信機４０５−ｃ−１、通信マネージャ４１０−ｃ、第１の送信機４１５−ｃ−１、第２の受信機４０５−ｃ−２および／または第２の送信機４１５−ｃ−２を含み得る。これらのコンポーネントの各々は、互いと通信状態にあり得る。
【００５９】
[0072]  いくつかの実現において、第１の受信機４０５−ｃ−１および第１の送信機４１５−ｃ−１は、それぞれ、図４Ａに関連して上述されたように、受信機４０５および送信機４１５と同様に動作し得る。第１の受信機４０５−ｃ−１および第１の送信機４１５−ｃ−１は、第１のＲＡＴ、例えば、ＷＬＡＮ、に従って動作し得る。第２の受信機４０５−ｃ−２および第２の送信機４１５−ｃ−２はまた、それぞれ、図４Ａに関連して上述されたように、受信機４０５および送信機４１５と同様に行われ得る。第２の受信機４０５−ｃ−２および第２の送信機４１５−ｃ−２は、第２の異なるＲＡＴ、例えば、ＬＴＥ、に従って動作し得る。よって、装置１１５−ｆは、異なるＲＡＴのために第１および第２の無線機を含むワイヤレス通信デバイスの一例であり得る。
【００６０】
[0073]  いくつかの実現において、通信マネージャ４１０−ｃは、図４Ａ、４Ｂおよび／または４Ｃに関連して上述された通信マネージャ４１０、４１０−ａ、４１０−ｂと同様の動作を行い得る。そのような動作の詳細は、簡潔さのためにここで繰り返されない。図示されていないが、装置 １１５−ｆは、それぞれが同様の機能を有する、図４Ｂおよび／または４Ｃに関連して上述されたような、さらなるコンポーネントを含み得る。
【００６１】
[0074]  本明細書で説明されるＬＯをチューニングするための技法は、第１の受信機４０５−ｃ−１のＬＯ（図示せず）あるいは第２の受信機４０５−ｃ−２のＬＯ（図示せず）のいずれか、または両方に適用され得る。いくつかのケースにおいて、技法は、どの信号が支配的である（例えば、より強力である）か、および／または、どの信号が共存を達成する（例えば、異なる周波数にハンドオーバする）ための他のオプションを有するかによって適用され得る。
【００６２】
[0075]  図５は、本開示の様々な態様に従って、ワイヤレス通信のためのＵＥ１１５−ｇのためのアーキテクチャの一例を例示するブロック図５００を示す。ＵＥ１１５−ｇは、様々な構成を有し、パーソナルコンピュータ（例えば、ラップトップコンピュータ、ネットブックコンピュータ、タブレットコンピュータ、等）、セルラ電話（例えば、スマートフォン）、ＰＤＡ、デジタルビデオレコーダ（ＤＶＲ）、インターネットアプライアンス、ゲーミングコンソール、電子リーダ、等に含まれ得る、またはそれらの一部であり得る。ＵＥ１１５−ｇは、いくつかのケースにおいて、モバイル動作を容易にするために、小型バッテリのような内部電源（図示せず）を有し得る。いくつかの実施形態において、ＵＥ１１５−ｇは、図１に関連して説明されたＵＥ１１５、１１５−ａおよび／または１１５−ｂ、および／または図４Ａ、４Ｂ、４Ｃおよび／または４Ｄに関連して説明された装置１１５−ｃ、１１５−ｄ、１１５−ｅ、および／または１１５−ｆの様々な態様の一例であり得る。ＵＥ１１５−ｇは、図１、２Ａ、２Ｂ、３Ａおよび／または３Ｂに関連して説明された特徴および機能のうちの少なくともいくつかを実現し得る。ＵＥ１１５−ｇは、図１に関連して説明された基地局１０５と通信し得る。
【００６３】
[0076]  ＵＥ１１５−ｇは、プロセッサ５０５、メモリ５１０、通信マネージャ５２０、信号属性検出器５２５、少なくとも１つの局部発振器（ＬＯ）５３０、少なくとも１つのトランシーバ５３５、および／または少なくとも１つのアンテナ５４０を含み得る。これらのコンポーネントの各々は、バス５４５を介して、直接的または間接的に、互いと通信状態にあり得る。
【００６４】
[0077]  メモリ５１０は、ランダムアクセスメモリ（ＲＡＭ）および／または読取専用メモリ（ＲＯＭ）を含み得る。メモリ５１０は、実行されたとき、プロセッサ５０５に、少なくとも１つのＲＡＴを介して通信するための本明細書で説明された様々な機能を行わせる命令を含むコンピュータ可読、コンピュータ実行可能ソフトウェア（ＳＷ）コード５１５を記憶し得る。代替的に、ソフトウェアコード５１５は、プロセッサ５０５によって直接的に実行可能でない場合があるが、（例えば、コンパイルおよび実行されたとき）ＵＥ１１５−ｇに、本明細書で説明された様々な機能を行わせ得る。
【００６５】
[0078]  プロセッサ５０５は、インテリジェントハードウェアデバイス、例えば、ＣＰＵ、マイクロコントローラ、ＡＳＩＣ、等を含み得る。プロセッサ５０５は、アンテナ（複数を含む）５４０を通じて送信のためにトランシーバ（複数を含む）５３５に送られるべき情報および／またはトランシーバ（複数を含む）５３５を通じて受信された情報を処理し得る。プロセッサ５０５は、単独または通信マネージャ５２０、信号属性検出器５２５、および／またはＬＯ（複数を含む）５３０に関連して、ＲＡＴ（複数を含む）で通信することの様々な態様に対処し得る。
【００６６】
[0079]  トランシーバ（複数を含む）５３５は、パケットを変調し、送信のためにアンテナ（複数を含む）５４０に変調されたパケットを提供し、アンテナ（複数を含む）５４０から受信されたパケットを復調するためのモデムを含み得る。トランシーバ（複数を含む）５３５は、いくつかのケースにおいて、送信機および別個の受信機として実現され得る。トランシーバ（複数を含む）５３５は、ＲＡＴに従って通信をサポートし得る。トランシーバ（複数を含む）５３５は、図１に関連して説明された基地局（複数を含む）１０５と、アンテナ（複数を含む）５４０を介して、双方向で通信し得る。ＵＥ１１５−ｇは、単一のアンテナ５４０を含み得るが、ＵＥ１１５−ｇが複数のアンテナ５４０を含み得る実現が存在し得る。
【００６７】
[0080]  通信マネージャ５２０は、ＬＯチューニングを用いたワイヤレス通信に関連した図１、２Ａ、２Ｂ、３Ａ、３Ｂ、４Ａ、４Ｂ、４Ｃ、および／または４Ｄに関連して説明された特徴および／または機能のうちのいくつかまたは全てを行うおよび／または制御し得る。例えば、通信マネージャ５２０は、ＬＯチューニングによって生じる所望の信号の属性（複数を含む）への影響（複数を含む）を考慮するためにＬＯチューニングスキームを実現し得る。通信マネージャ５２０は、図４Ａ、４Ｂ、４Ｃ、および／または４Ｄに関連して説明された通信マネージャ４１０、４１０−ａ、４１０−ｂ、および／または４１０−ｃの様々な態様の一例であり得る。通信マネージャ５２０、またはその一部は、プロセッサを含み、および／または、通信マネージャ５２０の機能のうちのいくつかまたは全ては、プロセッサ５０５によっておよび／またはプロセッサ５０５と関連して行われ得る。
【００６８】
[0081]  図６は、本開示の様々な態様に従って、ワイヤレス通信のための方法６００の一例を例示するフローチャートである。以下に説明される方法６００は、図４Ａ、４Ｂ、４Ｃ、４Ｄおよび／または５に関連して説明された装置１１５−ｃ、１１５−ｄ、１１５−ｅ、１１５−ｆ、および／または１１５−ｇ、および／または図１に関連して説明されたＵＥ１１５の態様に従って行われ得る。いくつかの実現において、そのようなＵＥまたは装置は、以下に説明される機能を行うためのＵＥまたは装置の機能要素（functional elements）を制御するためのコードのセットを実行し得る。
【００６９】
[0082] ブロック６０５では、第１の周波数で動作する第１の無線機において、第１の信号が受信され得る。本明細書で説明されるように、第１の信号は第１のＲＡＴに従い得る。ブロック６１０では、デバイスは、第１の無線機の局部発振器（ＬＯ）を第２の周波数にチューニングし得る。ＬＯチューニングによって生じる第１の信号の属性への影響が、ブロック６１５で識別され得る。その後、ブロック６２０では、第２の周波数のためのオフセットが、識別された影響に基づいて選択され得る。そのような方法において、ＬＯをチューニングすることによって生じる所望の信号への影響（複数を含む）が、ＬＯチューニングのためのオフセットを決定するように考慮され得る。
【００７０】
[0083]  図７は、本開示の様々な態様に従って、ワイヤレス通信のための方法７００の別の例を例示するフローチャートである。上述した方法６００と同様に、方法７００は、本明細書で説明されたＵＥまたは装置１１５の態様に従って行われ得る。
【００７１】
[0084]  ブロック７０５では、第１の周波数で動作する第１の無線機において、第１の信号が受信され得る。本明細書で説明されるように、第１の信号は第１のＲＡＴに従い得る。ブロック７１０では、第２の周波数における第２の信号が第１の無線機において受信され得る。本明細書で説明されるように、第１の信号は第２のＲＡＴに従い得る。
【００７２】
[0085]  ブロック７１５では、第２の信号の属性が決定され得る。第２の信号の属性は、第１の無線機の局部発振器（ＬＯ）のチューニングが望ましいように決定され得る。その後、ブロック７２０では、第１の無線機のＬＯが第３の周波数にチューニングされ得る。
【００７３】
[0086]  ブロック７２５では、ＬＯチューニングによって生じる第１の信号の属性への影響が識別され得る。その後、ブロック７３０では、第２の周波数のためのオフセットが、識別された影響に基づいて選択され得る。そのような方法において、ＬＯをチューニングすることによって生じる所望の信号への影響（複数を含む）が、ＬＯチューニングのためのオフセットを決定するように考慮され得る。上述したように、第２の信号の属性は、ＬＯチューニングが保証される（warranted）かどうか決定するために使用され得る。
【００７４】
[0087]  代替的に、または追加的に、第２の信号の属性（またはＬＯチューニングによって生じる影響）は、第１の信号の属性への識別された影響と組み合わせて使用され得る。添付図面に関連して上述された詳細な説明は、例示的な実施形態を説明するものであり、実現され得る、または特許請求の範囲内にある実施形態のみを表すものではない。この説明全体を通して使用される「例示的（exemplary）」という用語は、「好ましい」または「他の実施形態よりも有利である」ということではなく、「例、実例、あるいは例示として役立つこと」を意味する。詳細な説明は、説明された技法の理解を提供する目的で、特定の詳細を含む。しかしながら、これらの技法は、これらの特定の詳細なしで実施され得る。いくつかの事例では、周知の構造およびデバイスは、説明された実施形態の概念を曖昧にすることを回避するためにブロック図形式で示される。
【００７５】
[0088]  情報および信号は、様々な異なる技術および技法のうちの任意のものを使用して表され得る。例えば、上記の説明全体を通して参照され得る、データ、命令、コマンド、情報、信号、ビット、シンボル、およびチップは、電圧、電流、電磁波、磁場あるいは磁粒子、光場あるいは光学粒子、またはそれら任意の組み合わせによって表され得る。
【００７６】
[0089]  本明細書の開示に関連して説明された様々な例示的なブロックおよびモジュールは、汎用プロセッサ、デジタルシグナルプロセッサ（ＤＳＰ）、特定用途向け集積回路（ＡＳＩＣ）、フィールドプログラマブルゲートアレイ（ＦＰＧＡ）、または他のプログラマブルロジックデバイス、離散ゲートまたはトランジスタロジック、離散ハードウェアコンポーネント、または本明細書で説明された機能を行うように設計されたそれら任意の組み合わせで実現または行われ得る。汎用プロセッサは、マイクロプロセッサであり得るが、代替において、プロセッサは、任意の従来のプロセッサ、コントローラ、マイクロコントローラ、またはステートマシンであり得る。プロセッサはまた、コンピューティングデバイスの組み合わせ、例えば、ＤＳＰとマイクロプロセッサとの組み合わせ、複数のマイクロプロセッサ、ＤＳＰコアと連結したマイクロプロセッサ、または任意の他のそのような構成として実現され得る。
【００７７】
[0090]  本明細書で説明された機能は、ハードウェア、プロセッサによって実行されるソフトウェア、ファームウェア、またはそれら任意の組み合わせで実現され得る。プロセッサによって実行されるソフトウェア中で実現される場合、機能は、コンピュータ可読媒体上で、命令またはコードとして記憶または送信され得る。他の例および実現は、本開示および特許請求の範囲の精神および範囲内にある。例えば、ソフトウェアの性質により、上述された機能は、プロセッサによって実行されるソフトウェア、ハードウェア、ファームウェア、ハードワイヤリング、またはこれらのいずれかの組み合わせを使用して実現されることができる。機能を実現する特徴はまた、様々な位置において物理的に配置され、それは、機能の一部が異なる物理的な位置において実現されるように分配されることを含む。また、特許請求の範囲を含めて、本明細書で使用される場合、項目のリスト（例えば、「のうちの少なくとも１つ」または「のうちの１つ以上」のようなフレーズで始まる項目のリスト）中で使用される「または」は、例えば、「Ａ、Ｂ、またはＣのうちの少なくとも１つ」のリストが、Ａ、またはＢ、またはＣ、またはＡＢ、またはＡＣ、またはＢＣ、またはＡＢＣ（すなわち、ＡおよびＢおよびＣ）を意味するように離接的なリスト（disjunctive list）を示す。
【００７８】
[0091]  コンピュータ可読媒体は、１つの場所から別の場所へのコンピュータプログラムの転送を容易にする任意の媒体を含む、コンピュータ記憶媒体と通信媒体の両方を含む。記憶媒体は、汎用または専用コンピュータによってアクセスされることができる任意の利用可能な媒体であり得る。それに制限されない例として、コンピュータ可読媒体は、ＲＡＭ、ＲＯＭ、ＥＥＰＲＯＭ（登録商標）、ＣＤ−ＲＯＭまたは他の光学ディスク記憶装置、磁気ディスク記憶装置または他の磁気記憶デバイス、または、命令またはデータ構造の形態で所望のプログラムコード手段を搬送または記憶するように使用されることができ、汎用または特殊用途コンピュータ、あるいは汎用または特殊用途プロセッサによってアクセスされることができる、任意の他の媒体を備えることできる。また、任意の接続は、厳密にはコンピュータ可読媒体と称される。例えば、ソフトウェアが、同軸ケーブル、光ファイバーケーブル、ツイストペア、デジタル加入者回線（ＤＳＬ）、または赤外線、無線、およびマイクロ波のようなワイヤレス技術を使用して、ウェブサイト、サーバ、または他の遠隔ソースから送信される場合、この同軸ケーブル、光ファイバーケーブル、ツイストペア、ＤＳＬ、または赤外線、無線、およびマイクロ波のようなワイヤレス技術は、媒体の定義に含まれる。本明細書で使用される場合、ディスク（disk）およびディスク（disc）は、コンパクトディスク（ＣＤ）、レーザーディスク（登録商標）、光ディスク、デジタル多目的ディスク（ＤＶＤ）、フロッピー（登録商標）ディスクおよびブルーレイディスクを含み、ここでディスク（disk）は、通常磁気的にデータを再生し、一方ディスク（disc）は、レーザーを用いて光学的にデータを再生する。上記の組み合わせもまた、コンピュータ可読媒体の範囲内に含まれる。
【００７９】
[0092]  本開示の先の説明は、当業者が本開示を製造または使用することを可能にするように提供される。本開示に対する様々な変更は、当業者に容易に理解され、本明細書で定義された一般的な原理は、本開示の精神または範囲から逸脱することなく他の変形に適用され得る。本開示を通して、「例」または「例示的」という用語は、例または実例を示すものであり、言及された例に対するいかなる選好を暗に示すものでも必要とするものでもない。よって、本開示は、本明細書で説明された例および設計に限定されるように意図されたものではなく、本明細書で開示された原理および新規な特徴と一致する最も広い範囲が付与されるべきである。
以下に、本願の出願当初の特許請求の範囲に記載された発明を付記する。
［Ｃ１］
ワイヤレス通信のための方法であって、
第１の周波数で動作する第１の無線機において、第１の信号を受信することと、
前記第１の無線機の局部発振器（ＬＯ）を第２の周波数にチューニングすることと、
前記チューニングすることによって生じる前記第１の信号の属性への影響を識別することと、
前記第２の周波数のためのオフセットを選択することと、前記オフセットは、前記識別された影響に少なくとも部分的に基づく、
を備える、方法。
［Ｃ２］
前記第１の無線機において、第３の周波数で動作する第２の無線機から第２の信号を受信することをさらに備える、Ｃ１に記載の方法。
［Ｃ３］
前記第２の信号によって生じる干渉に少なくとも部分的に基づいて前記オフセットを選択することをさらに備える、Ｃ２に記載の方法。
［Ｃ４］
前記第２の信号の強度に少なくとも部分的に基づいて前記オフセットを選択することをさらに備える、Ｃ２に記載の方法。
［Ｃ５］
前記第２の信号の送信電力に少なくとも部分的に基づいて前記オフセットを選択することをさらに備える、Ｃ２に記載の方法。
［Ｃ６］
前記第１の信号および前記第２の信号をベースバンドにダウンコンバートすることと、
前記第１の信号のベース帯域幅と前記第２の信号のベース帯域幅との間にオーバーラップがないように前記オフセットを選択すること
をさらに備える、Ｃ２に記載の方法。
［Ｃ７］
前記第１の信号および前記第２の信号をベースバンドにダウンコンバートすることと、
前記第１の信号のベース帯域幅と前記第２の信号のベース帯域幅との間に部分的なオーバーラップがあるように前記オフセットを選択すること
をさらに備える、Ｃ２に記載の方法。
［Ｃ８］
前記第１の無線機および前記第２の無線機は、単一のワイヤレス通信デバイスに含まれる、Ｃ２に記載の方法。
［Ｃ９］
第４の周波数への前記第２の信号のハンドオーバを実行することをさらに備える、Ｃ８に記載の方法。
［Ｃ１０］
前記第４の周波数に少なくとも部分的に基づいて前記オフセットを選択することをさらに備える、Ｃ９に記載の方法。
［Ｃ１１］
ゼロとなるように前記オフセットを選択することをさらに備える、Ｃ９に記載の方法。
［Ｃ１２］
前記第１の信号の前記属性は、前記第１の信号の信号対干渉および雑音比である、Ｃ１に記載の方法。
［Ｃ１３］
前記第１の信号の前記属性は、前記第１の信号の信号対雑音比である、Ｃ１に記載の方法。
［Ｃ１４］
前記第１の信号の前記属性は、前記第１の信号の強度である、Ｃ１に記載の方法。
［Ｃ１５］
前記第１の信号の前記属性は、前記第１の信号の受信信号強度インジケータ（ＲＳＳＩ）である、Ｃ１に記載の方法。
［Ｃ１６］
前記第１の信号は、第１の無線アクセス技術（ＲＡＴ）に従って送信され、
前記第２の信号は、第２のＲＡＴに従って送信される、
Ｃ２に記載の方法。
［Ｃ１７］
前記第１のＲＡＴは、ワイヤレスローカルエリアネットワーク（ＷＬＡＮ）ベースであり、
前記第２のＲＡＴは、セルラワイドエリアネットワーク（ＷＡＮ）ベースである、
Ｃ１６に記載の方法。
［Ｃ１８］
ワイヤレス通信のための装置であって、
第１の周波数で動作する第１の無線機と、
第１の信号を受信するための前記第１の無線機の受信機と、
前記第１の無線機の局部発振器（ＬＯ）と、
前記チューニングすることによって生じる前記第１の信号の属性への影響に少なくとも部分的に基づいて前記ＬＯを第２の周波数に前記チューニングするための発振器コントローラと
を備える、装置。
［Ｃ１９］
前記発振器コントローラは、前記影響に少なくとも部分的に基づいて前記第２の周波数のためのオフセットを選択することによって前記ＬＯをチューニングする、Ｃ１８に記載の装置。
［Ｃ２０］
前記発振器コントローラは、第３の周波数で動作する第２の無線機から前記第１の無線機において受信された第２の信号によって生じる干渉に少なくとも部分的に基づいて前記オフセットを選択する、Ｃ１９に記載の装置。
［Ｃ２１］
前記装置は、前記第２の無線機をさらに備える、Ｃ２０に記載の装置。
［Ｃ２２］
前記発振器コントローラは、第３の周波数で動作する第２の無線機前から前記第１の無線機において受信された第２の信号の強度に少なくとも部分的に基づいて前記オフセットを選択する、Ｃ１９に記載の装置。
［Ｃ２３］
前記発振器コントローラは、第３の周波数で動作する第２の無線機前から前記第１の無線機において受信された第２の信号の送信電力に少なくとも部分的に基づいて前記オフセットを選択する、Ｃ１９に記載の装置。
［Ｃ２４］
前記受信機は、第３の周波数で動作する第２の無線機から前記第１の無線機において第２の信号を受信し、
前記ＬＯは、前記第１の信号および前記第２の信号をベースバンドにダウンコンバートし、
前記発振器コントローラは、前記第１の信号のベース帯域幅と前記第２の信号のベース帯域幅との間にオーバーラップがないように前記オフセットを選択する、Ｃ１９に記載の装置。
［Ｃ２５］
前記受信機は、第３の周波数で動作する第２の無線機から前記第１の無線機において第２の信号を受信し、
前記ＬＯは、前記第１の信号および前記第２の信号をベースバンドにダウンコンバートし、
前記発振器コントローラは、前記第１の信号のベース帯域幅と前記第２の信号のベース帯域幅との間に部分的なオーバーラップがあるように前記オフセットを選択する、Ｃ１９に記載の装置。
［Ｃ２６］
前記第１の信号の前記属性は、前記第１の信号の信号対干渉および雑音比、前記第１の信号の信号対雑音比、前記第１の信号の強度、前記第１の信号の受信信号強度インジケータ（ＲＳＳＩ）、またはそれらの組み合わせのうちの少なくとも１つを含む、Ｃ１８に記載の装置。
［Ｃ２７］
ワイヤレス通信のための装置であって、
第１の周波数で動作する第１の無線機において、第１の信号を受信するための手段と、
前記第１の無線機の局部発振器（ＬＯ）を第２の周波数にチューニングするための手段と、
前記チューニングすることによって生じる前記第１の信号の属性への影響を識別するための手段と、
前記第２の周波数のためのオフセットを選択するための手段と、前記オフセットは、前記識別された影響に少なくとも部分的に基づく、
を備える、装置。
［Ｃ２８］
受信するための前記手段は、前記第１の無線機において、第３の周波数で動作する第２の無線機から第２の信号を受信し、
選択するための前記手段は、前記第２の信号によって生じる干渉に少なくとも部分的に基づいて前記オフセットを選択する、Ｃ２７に記載の装置。
［Ｃ２９］
識別するための前記手段は、前記属性に対するチューニングによって生じる前記影響を識別し、前記属性は、前記第１の信号の信号対干渉および雑音比、前記第１の信号の信号対雑音比、前記第１の信号の強度、前記第１の信号の受信信号強度インジケータ（ＲＳＳＩ）、またはそれらの組み合わせのうちの少なくとも１つを含む、Ｃ２７に記載の装置。
［Ｃ３０］
ワイヤレス通信のためのコンピュータ実行可能なコードを記憶する非一時的なコンピュータ可読媒体であって、前記コードは、
第１の周波数で動作する第１の無線機において、第１の信号を受信することと、
前記第１の無線機の局部発振器（ＬＯ）を第２の周波数にチューニングすることと、
前記チューニングすることによって生じる前記第１の信号の属性への影響を識別することと、
前記第２の周波数のためのオフセットを選択することと、前記オフセットは、前記識別された影響に少なくとも部分的に基づく、
を行うようにプロセッサによって実行可能である、非一時的なコンピュータ可読媒体。
【図１】
0006321293.tif 000002
【図２Ａ】
0006321293.tif 000003
【図２Ｂ】
0006321293.tif 000004
【図３Ａ】
0006321293.tif 000005
【図３Ｂ】
0006321293.tif 000006
【図４Ａ】
0006321293.tif 000007
【図４Ｂ】
0006321293.tif 000008
【図４Ｃ】
0006321293.tif 000009
【図４Ｄ】
0006321293.tif 000010
【図５】
0006321293.tif 000011
【図６】
0006321293.tif 000012
【図７】
0006321293.tif 000013